【手続補正書】
【提出日】平成28年8月29日(2016.8.29)
【手続補正１】
【補正対象書類名】特許請求の範囲
【補正対象項目名】請求項１
【補正方法】変更
【補正の内容】
【請求項１】
互いに直交する上下方向と横方向とを有し、前記横方向の両側に位置する側縁部で互いに接合している前方パネルと後方パネルと、前後方向における前端部が前記前方パネルの内面に接合するとともに後端部が前記後方パネルの内面に接合している股下パネルとを含み、これら前記前方パネルと前記後方パネルと前記股下パネルとの協働によって胴回り開口と脚回り開口とが形成されている使い捨てパンツ型おむつであって、
前記前方パネルと前記後方パネルとは、前記側縁部のそれぞれから前記股下パネルに向かって下り勾配で延びる脚回り弾性部材と、前記脚回り弾性部材よりも上方で前記横方向へ延びる胴回り弾性部材とが存在する部分における前記側縁部が互いに接合して胴回り接合部を形成し、
前記前方パネルと前記後方パネルとは、さらに、前記脚回り弾性部材よりも下方の部分においても前記側縁部が互いに接合して脚回り接合部を形成することによって脚回り方向で一体的につながって、前記脚回り開口の周縁部の一部分となる脚部カバー部を形成しており、
前記脚部カバー部では、前記脚部カバー部を前記横方向へ収縮させることが可能なカバー部弾性部材が前記脚回り接合部から前記脚回り弾性部材に向かって伸長状態で収縮可能に延びていることを特徴とする使い捨てパンツ型おむつ。
【手続補正２】
【補正対象書類名】特許請求の範囲
【補正対象項目名】請求項４
【補正方法】変更
【補正の内容】
【請求項４】
前記脚回り弾性部材と前記カバー部弾性部材とのそれぞれが前記複数条の弾性糸によって形成されていて、前記横方向における前記胴回り接合部と前記股下パネルとの間を前記横方向において二等分する中心線上において、前記脚回り弾性部材どうしの離間寸法が前記カバー部弾性部材各々の離間寸法よりも小さい請求項１−３のいずれかに記載の使い捨てパンツ型おむつ。
【手続補正３】
【補正対象書類名】明細書
【補正対象項目名】００２１
【補正方法】変更
【補正の内容】
【００２１】
前方カバー部弾性部材４５は、前方パネル１１の側縁部１１ａにおいて、胴回り接合部２５よりも下方にあり、すなわち脚回り接合部２６にあり、脚部カバー部３０においては、前方脚回り弾性部材４３に向かって横方向Ｂへ、より好ましくは横方向Ｂへ水平に延びている。前方カバー部弾性部材４５には、例えば３００−７５０ｄｔｅｘのライクラ（登録商標）を１．５−２．５倍に伸長した状態で使用することができる。前方カバー部弾性部材４５が脚回り接合部２６と前方脚回り弾性部材４３との間において弛緩状態にあるときには、脚部カバー部３０がフリル状の外観（図１参照）を呈し、その前方カバー部弾性部材４５が緊張状態にあるときには、脚部カバー部３０がおむつ着用者の脚回りに密着して、図２に例示の如き見映えする外観を呈する。
【手続補正４】
【補正対象書類名】明細書
【補正対象項目名】００２４
【補正方法】変更
【補正の内容】
【００２４】
後方胴回り弾性部材５４は、後方パネル１２の胴回り接合部２５において、後方脚回り弾性部材５３と交差した状態にあるか、後方脚回り弾性部材５３よりも上方にあって、横方向Ｂへ延びている。後方胴回り弾性部材５４は、後方パネル１２の上縁１２ｂに隣接して平行に延びる弾性部材５４ａの他に、股下パネル１３と重なるように延びる弾性部材５４ｂ，５４ｃを含むことがある。ただし、弾性部材５４ｂ，５４ｃは、それが収縮しても、股下パネル１３における後記第１芯材７１（図４参照）に多くのギャザーを生じさせないものであることが好ましい。そのために、芯材７１に向かって延びる場合の弾性部材５４ｂは、中心線Ｐ上において連続しておらず、芯材７１を横断していないものであることが好ましい。弾性部材５４ｃは、股下パネル１３を横断してはいるが、芯材７１を横断しておらず、芯材７１の縁部から延出しているシート状部材７２，７３，７５（図４参照）を横断している。これら後方胴回り弾性部材５４には、例えば３５０−１０００ｄｔｅｘのライクラ（登録商標）を２．０−３．２倍に伸長した状態で使用することができる。
【手続補正５】
【補正対象書類名】明細書
【補正対象項目名】００２５
【補正方法】変更
【補正の内容】
【００２５】
後方カバー部弾性部材５５は、側縁部１２ａにおいて、胴回り接合部２５よりも下方にあり、すなわち脚回り接合部２６にあり、脚部カバー部３０においては、後方脚回り弾性部材５３に向かって横方向Ｂへ、より好ましくは横方向Ｂへ水平に延びている。なお、後方パネル１２における脚部カバー部３０では、図示例の如く、後方パネル１２の傾斜した下縁１２ｃに並行するように延びる一条または複数条の弾性部材５５ａを追加的に使用することができる。下端縁１２ｃは、脚回り接合部２６から股下パネル１３に向かって、下り勾配となるように傾斜している。これらの弾性部材５５，５５ａには、例えば３００−７５０ｄｔｅｘのライクラ（登録商標）を１．５−２．５倍に伸長した状態で使用することができる。後方パネル１２の横方向Ｂにおいて、弾性部材５５，５５ａが、脚回り接合部２６と後方脚回り弾性部材５３との間で弛緩状態にあるときには、後方パネル１２において、脚部カバー部３０がフリル状の外観（図１参照）を呈し、その弾性部材５５，５５ａが緊張状態にあるときには、脚部カバー部３０がおむつ着用者の臀部や脚回りに密着して図２に例示の如き外観を呈する。
【手続補正６】
【補正対象書類名】明細書
【補正対象項目名】００５４
【補正方法】変更
【補正の内容】
【００５４】
互いに直交する上下方向と横方向とを有し、前記横方向の両側に位置する側縁部で互いに接合している前方パネルと後方パネルと、前後方向における前端部が前記前方パネルの内面に接合するとともに後端部が前記後方パネルの内面に接合している股下パネルとを含み、これら前記前方パネルと前記後方パネルと前記股下パネルとの協働によって胴回り開口と脚回り開口とが形成されている使い捨てパンツ型おむつであって、前記前方パネルと前記後方パネルとは、前記側縁部のそれぞれから前記股下パネルに向かって下り勾配で延びる脚回り弾性部材と、前記脚回り弾性部材よりも上方で前記横方向へ延びる胴回り弾性部材とが存在する部分における前記側縁部が互いに接合して胴回り接合部を形成し、前記前方パネルと前記後方パネルとは、さらに、前記脚回り弾性部材よりも下方の部分においても前記側縁部が互いに接合して脚回り接合部を形成することによって脚回り方向で一体的につながって、前記脚回り開口の周縁部の一部分となる脚部カバー部を形成しており、前記脚部カバー部では、前記脚部カバー部を前記横方向へ収縮させることが可能なカバー部弾性部材が前記脚回り接合部から前記脚回り弾性部材に向かって伸長状態で収縮可能に延びている。
【手続補正７】
【補正対象書類名】明細書
【補正対象項目名】００５５
【補正方法】変更
【補正の内容】
【００５５】
本発明はまた、以下の実施形態を含み、単独または組み合わせて採択することができる。
（１）前記カバー部弾性部材は、複数条の弾性糸によって形成されていて、前記脚回り弾性部材の下方において前記横方向へほぼ水平に延びている。
（２）前記脚回り弾性部材と前記カバー部弾性部材とのそれぞれが複数条の弾性糸によって形成され、前記カバー部弾性部材の伸長倍率が前記脚回り弾性部材の伸長倍率よりも低い。
（３）前記脚回り弾性部材と前記カバー部弾性部材とのそれぞれが前記複数条の弾性糸によって形成されていて、前記横方向における前記胴回り接合部と前記股下パネルとの間を前記横方向において二等分する中心線上において、前記脚回り弾性部材どうしの離間寸法が前記カバー部弾性部材各々の離間寸法よりも小さい。
（４）前記上下方向において前記側縁部を三等分して上方部分と、下方部分と、これら両部分の間に介在する中間部分とに分けたときに、前記胴回り接合部が前記上方部分と前記中間部分の一部とに延在し、前記中間部分の残部と前記下方部分とに前記脚回り接合部が延在している。
（５）前記脚部カバー部には、前記脚回り弾性部材と前記カバー部弾性部材との収縮によって、フリルが形成されている。
【手続補正８】
【補正対象書類名】図面
【補正対象項目名】図２
【補正方法】変更
【補正の内容】
【図２】
2016010513.tif 000001